(57)【要約】【課題】実行可能な様々な処理をユーザーが簡易に指定可能な画像処理装置、及びプログラムを提供すること。【解決手段】画像処理装置１において、複数の処理実行部１２は、互いに異なる複数の処理を実行可能である。画像読取部１１は、複数の原稿の画像を読み取り、前記複数の原稿の画像を表す読取画像データを出力する。抽出部１４１は、前記読取画像データから、処理対象の対象画像データと、予め定められた様式を有する様式画像データとを抽出する。認識部１４２は、前記様式画像データから、前記対象画像データに実行すべき処理を示す処理情報と、処理条件を示す条件情報とを認識する。処理制御部１４３は、前記条件情報に基づく前記処理条件で前記対象画像データを処理することを、前記処理情報に対応する処理実行部１２に指示する。【選択図】図１
2019083430.tif 000002
【特許請求の範囲】
【請求項１】
互いに異なる複数の処理を実行可能な複数の処理実行部と、
複数の原稿の画像を読み取り、前記複数の原稿の画像を示す読取画像データを出力する画像読取部と、
前記読取画像データから、処理対象の対象画像データと、予め定められた様式を有する様式画像データとを抽出する抽出部と、
前記様式画像データから、前記対象画像データに実行すべき処理を示す処理情報と、処理条件を示す条件情報とを認識する認識部と、
前記条件情報に基づく前記処理条件で前記対象画像データを処理することを、前記処理情報に対応する前記処理実行部に指示する処理制御部と、
を備える画像処理装置。
【請求項２】
前記抽出部は、複数の前記様式画像データを抽出し、
前記認識部は、前記複数の前記様式画像データから、前記処理情報と、前記条件情報とを認識する、
請求項１に記載の画像処理装置。
【請求項３】
前記処理制御部は、前記処理情報と、前記条件情報とが予め定められた禁則関係を有する場合、前記処理情報に対応する前記処理実行部に指示しない、
さらに備える請求項１又は２に記載の画像処理装置。
【請求項４】
前記対象画像データ及び前記様式画像データの抽出、前記処理情報及び前記条件情報の認識、又は、前記処理情報に対応する前記処理実行部への指示ができない場合、前記対象画像データに対する前記処理が実行できないことを示す通知情報を出力する通知制御部を、
さらに備える請求項１〜３のいずれか１項に記載の画像処理装置。
【請求項５】
前記複数の原稿は、前記処理対象とされるべき対象画像を示す対象原稿と、前記対象画像に実行すべき前記処理及び前記処理条件を示す付加原稿とを含み、
前記画像読取部は、前記対象原稿及び前記付加原稿を載置可能な原稿台を有し、前記対象原稿及び前記付加原稿の画像を示す前記読取画像データを出力する、
請求項１〜４のいずれか１項に記載の画像処理装置。
【請求項６】
前記複数の原稿の画像が画像読取部により読み取られて生成される読取画像データから、処理対象の対象画像データと、予め定められた様式を有する様式画像データとを抽出するステップと、
前記様式画像データから、前記対象画像データに実行されるべき処理を示す処理情報と、処理条件を示す条件情報とを認識するステップと、
互いに異なる複数の処理を実行可能な複数の処理実行部のうち、前記処理情報に対応する前記処理実行部に、前記条件情報に基づく前記処理条件で、前記対象画像データを処理させるステップと、
をコンピューターに実行させるプログラム。
【発明の詳細な説明】
【技術分野】
【０００１】
本発明は、画像読取部により生成される読取画像データに対し複数の処理を実行可能な画像処理装置、及びプログラムに関する。
【背景技術】
【０００２】
画像処理装置は、例えば、スキャン、コピー、電子メール送受信及びファクス送受信等の処理を実行可能な複数の処理実行部と、前記複数の処理実行部の処理を制御する制御部とを備える。
【０００３】
前記制御部は、一般的には、ユーザー操作を受け付ける操作入力部から入力される情報に基づき、画像読取部から得られる読取画像データを処理すべき前記実行処理部と、処理条件とを特定する。前記制御部はさらに、特定された前記処理実行部に、前記処理条件に従って、前記読取画像データに対する処理を実行させる。
【０００４】
一方、前記画像処理装置に対し、予め定められた４種類の処理のいずれかと、処理条件とをユーザーが簡易に指定し、前記画像処理装置が、ユーザーにより指定されている前記処理及び前記処理条件を認識する手法が提案されている（例えば特許文献１を参照）。
【先行技術文献】
【特許文献】
【０００５】
【特許文献１】特開２０１６−１３１３０９号公報
【発明の概要】
【発明が解決しようとする課題】
【０００６】
前記画像処理装置は、前記読取画像データに対し様々な処理を実行可能である。そのため、前記様々な処理をユーザーが簡易に指定可能な前記画像処理装置が望まれている。
【０００７】
本発明の目的は、実行可能な様々な処理をユーザーが簡易に指定可能な画像処理装置、及びプログラムを提供することである。
【課題を解決するための手段】
【０００８】
本発明の一の局面に係る画像処理装置は、複数の処理実行部と、画像読取部と、抽出部と、認識部と、処理制御部と、を備える。前記複数の処理実行部は、互いに異なる複数の処理を実行可能である。前記画像読取部は、複数の原稿の画像を読み取り、前記複数の原稿の画像を表す読取画像データを出力する。前記抽出部は、前記読取画像データから、処理対象の対象画像データと、予め定められた様式を有する様式画像データとを抽出する。前記認識部は、前記様式画像データから、前記対象画像データに実行すべき処理を示す処理情報と、処理条件を示す条件情報とを認識する。前記処理制御部は、前記条件情報に基づく前記処理条件で前記対象画像データを処理することを、前記処理情報に対応する前記処理実行部に指示する。
【０００９】
本発明の他の局面に係るプログラムは、前記複数の原稿の画像が画像読取部により読み取られて生成される読取画像データから、処理対象の対象画像データと、予め定められた様式を有する様式画像データとを抽出するステップと、前記様式画像データから、前記対象画像データに実行されるべき処理を示す処理情報と、処理条件を示す条件情報とを認識するステップと、互いに異なる複数の処理を実行可能な複数の処理実行部のうち、前記処理情報に対応する前記処理実行部に、前記条件情報に基づく前記処理条件で、前記対象画像データを処理させるステップと、をコンピューターに実行させるプログラムである。
【発明の効果】
【００１０】
本発明によれば、実行可能な様々な処理をユーザーが簡易に指定可能な画像処理装置、及びプログラムを提供することができる。
【図面の簡単な説明】
【００１１】
【図１】図１は、本発明の各実施形態に係る画像処理装置の構成を示す図である。
【図２】図２は、図１の記憶部に格納されるアドレスリストを例示する図である。
【図３Ａ】図３Ａは、第１実施形態に係る付加原稿の第１例を示す図である。
【図３Ｂ】図３Ｂは、第１実施形態に係る付加原稿の第２例を示す図である。
【図３Ｃ】図３Ｃは、第１実施形態に係る付加原稿の第３例を示す図である。
【図４】図４は、第１実施形態に係る画像処理装置の処理を示すフローチャートである。
【図５】図５は、図１の画像読取部で生成される読取画像データを示す図である。
【図６】図６は、図１の記憶部に格納される禁則関係リストを例示する図である
【図７】図７は、図１の記憶部に格納される制御コマンドリストを例示する図である。
【図８】図８は、第２実施形態に係る付加原稿を例示する図である。
【図９】図９は、第２実施形態に係る画像処理装置の処理を示すフローチャートである。
【図１０】図１０は、第２実施形態に係る読取画像データを示す図である。
【図１１】図１１は、第３実施形態に係る付加原稿を示す図である。
【図１２】図１２は、第３実施形態に係る画像処理装置の処理を示すフローチャートである。
【図１３】図１３は、第３実施形態に係る付加原稿読取画像データを示す図である。
【発明を実施するための形態】
【００１２】
以下添付図面を参照しながら、本発明の各実施形態について説明し、本発明の理解に供する。なお、以下の実施形態は、本発明を具体化した一例であって、本発明の技術的範囲を限定するものではない。
【００１３】
［第１実施形態］
図１において、画像処理装置１は、複数の機能を備える複合機であって、例えば、スキャン処理、コピー処理、ファクス送信処理及び電子メール送信処理等、各種処理を実行可能である。
【００１４】
画像処理装置１は、操作表示部１０、画像読取部１１と、複数の処理実行部１２と、記憶部１３及び制御部１４等を備える。
【００１５】
操作表示部１０は、表示部と、操作部とを備える。前記表示部は、例えば、情報を表示する液晶ディスプレーなどの表示装置である。前記操作部は、ユーザー操作に基づく情報入力を受け付けるタッチパネル及び操作ボタンなどを含む。
【００１６】
画像読取部１１は、板状の透明ガラス等を含む原稿台１１０１を備える。原稿台１１０１は、自身の上面に、複数の原稿を載置可能な矩形状の原稿載置エリアを有する。
【００１７】
画像読取部１１は、原稿台１１０１以外にも、光源、ミラー、光学レンズ及びＣＣＤ（Charge Coupled Device）等を備える。画像読取部１１は、前記スキャン処理の実行時、原稿台１１０１に載置された原稿に向けて光を主走査方向及び副走査方向に走査する。
【００１８】
画像読取部１１は、前記原稿から反射光に基づき、前記複数の原稿の画像を読み取り、前記複数の原稿の画像を示す前記読取画像データを生成し出力する。
【００１９】
複数の処理実行部１２は、画像データに対し、互いに異なる複数の処理を実行可能である。複数の処理実行部１２は、前記各種処理に対応して、画像形成部１２１、ファクス送信部１２２及び電子メール送信部１２３を備える。
【００２０】
なお、複数の処理実行部１２は、画像形成部１２１、ファクス送信部１２２及び電子メール送信部１２３から選ばれる１つ以上と、を備えていればよい。また、画像形成部１２１、ファクス送信部１２２及び電子メール送信部１２３以外の処理実行部が複数の処理実行部１２として画像処理装置１に備わっていてもよい。
【００２１】
画像形成部１２１は、前記コピー処理の実行時、後述の画像データを受け取る。
【００２２】
画像形成部１２１は、前記画像データが示す画像を印刷用シート上に形成して、印刷物として画像処理装置１の外部に排出する。なお、画像形成の方式は、電子写真方式又はインクジェット方式のいずれでもよい。画像形成部１２１は、電子写真方式が採用される場合、感光体ドラム、帯電器、露光装置、現像装置、転写装置、定着装置等を備える。
【００２３】
ファクス送信部１２２は、前記ファクス送信処理の実行時、前記画像データを、所定のファクシミリ規格に従って、図示しない通信相手側のファクシミリに送信する。なお、ファクス受信処理は本発明の要部ではないため、前記ファクス受信処理の説明を控える。
【００２４】
電子メール送信部１２３は、前記電子メール送信処理の実行時、前記画像データを含む電子メールを制御部１４から受け取る、電子メール送信部１２３はさらに、前記電子メールを、所定の規格及び通信プロトコルに従って、図示しない受信側の情報処理装置に送信する。
【００２５】
記憶部１３は、例えば、不揮発性半導体メモリー又はハードディスクドライブ等を含み、制御部１４により実行されるプログラム１３１、及び制御部１４により使用される各種情報を予め格納可能である。
【００２６】
前記各種情報は、図２に示すアドレスリスト１３２を含む。
【００２７】
アドレスリスト１３２は、例えば、前記電子メールを受信可能な複数の受信者が使用する複数の電子メールアドレスを含む。なお、いくつかの図面ではメールアドレスと示されている。前記メールアドレスは電子メールアドレスと同義である。
【００２８】
前記複数の電子メールアドレスは、後述の様式に従って、例えば、互いに重複しない色と紐づけられている。例えば、前記受信者としてのＡにはオレンジが、前記受信者としてのＢには青が紐づけられている。前記色は、前記受信者の特定に使用されるため、以下、特定色と称される。
【００２９】
制御部１４は、プロセッサーと、例えば揮発性半導体メモリー等を備える。
【００３０】
ここで、本発明が解決すべき技術的課題について説明する。
【００３１】
一般的に、画像処理装置は、読取画像データに対し様々な処理を実行可能である。そのため、前記様々な処理をユーザーが簡易に指定可能な前記画像処理装置が望まれている。
【００３２】
本実施形態の目的は、画像処理装置が実行可能な様々な処理をユーザーが簡易に指定可能とすることである。
【００３３】
前記目的を達成するために、制御部１４は、前記プロセッサーがプログラム１３１を実行することにより、機能ブロックとして、抽出部１４１、認識部１４２、処理制御部１４３及び通知制御部１４４を備える。なお、機能ブロック１４１〜１４４の１つ又は複数は電子回路で構成されていてもよい。
【００３４】
次に、制御部１４による処理の説明に先立ち、本画像処理装置１のユーザーによる準備作業を説明する。
【００３５】
前記ユーザーは、前記複数の原稿を準備する。前記複数の原稿は、対象原稿と、付加原稿とを含む。
【００３６】
前記対象原稿は、画像処理装置１により処理対象とされるべき対象画像を示す。前記対象原稿は、例えば、前記印刷用シートに印刷されている文書である。
【００３７】
前記付加原稿は、原稿台１１０１に前記対象原稿と並置可能なサイズを有する。前記付加原稿のサイズは、例えば前記対象原稿のサイズより小さい。前記付加原稿には、前記ユーザーによる画像形成装置１への処理要求を示す文字、数字または色などの情報が記されている。
【００３８】
前記処理要求は、例えば前記印刷用シートより小さいサイズのシートに、前記様式に従う文字及び／又は記号を用いて記される。
【００３９】
前記付加原稿は、前記処理要求として、前記対象画像に実行すべき前記処理と、処理条件とを、例えば複数のシートで示す。
【００４０】
なお、以下、前記文字及び／又は記号を文字等と称する。また、前記シートのうち、前記処理が示されるシートを処理シートと、前記処理条件が示されるシートを処理条件シートと称する。
【００４１】
前記処理シート及び前記処理条件シートは、後述の抽出処理のために、例えば、所定の形状又は所定のサイズを有する。
【００４２】
また、前記文字等は、後述のＯＣＲ(Optical Character Recognition)処理を正しく実施可能な予め定められた色である推奨色で記録される。前記推奨色としては例えば黒色が考えられる。
【００４３】
また、前記処理及び前記処理条件は色で表現されることも可能である。
【００４４】
例えば、前記電子メールアドレスは、前記処理条件シートの読取面の色により特定可能である。即ち、前記読取面の色が前記特定色を表し、前記特定色もまた前記処理条件となりえる。なお、前記読取面は、画像読取部１１により光が走査される面である。
【００４５】
なお、前記電子メールアドレスは、前記処理条件シートの読取面が有する前記特定色で表される以外にも、前記文字等で前記処理条件シートに記録されうる。この場合、前記処理条件シートの読取面の色は、前記特定色以外の色である。前記非特定色もまた前記処理条件の一つを示す。
【００４６】
なお、前記処理及び前記処理条件は、前記文字等又は前記色以外の表現方法で様式化されてもよい。
【００４７】
前記他の表現方法としては、例えば、前記処理シート及び前記処理条件シートに記録された符号によって前記処理及び前記処理条件が表現されることが考えられる。前記符号としては、バーコードなどの１次元コード又はＱＲコード（登録商標）などの２次元コードが考えられる。
【００４８】
また、前記処理及び前記処理条件は、前記処理シート及び前記処理条件シートにおける前記読取面側に示される。
【００４９】
前記処理シート及び前記処理条件シートにおいて前記読取面の反対側の面、即ち非読取面には、前記読取面側と同じ前記処理及び前記処理条件が示されていてもよい。これにより、前記ユーザーは、原稿台１１０１に前記付加原稿を載置する際、前記非読取面を目視することで、前記読取面側の前記処理又は前記処理条件を容易に認識できる。
【００５０】
なお、前記非読取面側の前記処理及び前記処理条件は、画像処理装置１の処理対象ではないので、前記様式に従ってしなくともよく、前記ユーザーが認識可能な文字等又は簡単な絵柄を用いて示されればよい。
【００５１】
また、前記非読取面側の前記処理及び前記処理条件が前記様式に従っていれば、前記ユーザーは、前記読取面及び前記非読取面を気にすることなく、前記原稿台１１０１に載置することができる。
【００５２】
さらに、前記処理及び前記処理条件の全てが１つの前記シートで示されてもよい。以下、前記処理及び前記処理条件の両方が示されるシートを、処理・処理条件シートと称する。
【００５３】
ここで、図３Ａ〜図３Ｃを参照して、前記様式に従う前記付加原稿の例を説明する。
【００５４】
図３Ａ〜図３Ｃには、前記付加原稿の例示としての付加原稿２１ａ〜２１ｃが示される。
【００５５】
図３Ａにおいて、付加原稿２１ａは、前記処理シート及び前記処理条件シートの一例としての処理シート２１１ａ及び処理条件シート２１２ａを含む。
【００５６】
処理シート２１１ａの前記読取面には「コピー」という文字が記録される。前記文字「コピー」は、前記様式の一つであって、前記処理が前記コピー処理であることを示す。
【００５７】
処理条件シート２１２ａの前記読取面には、「３」という数字とが記録される。前記数字「３」は、前記様式の一つであって、前記文字「コピー」との組合せにより、印刷必要部数が３部であるという前記処理条件を示す。
【００５８】
図３Ｂにおいて、付加原稿２１ｂは、前記処理・処理条件シートの一例としての処理・処理条件シート２１１ｂを含む。
【００５９】
処理・処理条件シート２１１ｂの前記読取面には「メール」という文字が記録される。また、前記読取面は前記特定色を有する。
【００６０】
前記文字「メール」もまた、前記様式の一つであって、前記処理が前記電子メール送信処理であることを示す。
【００６１】
前記特定色もまた、前記様式の一つである。前記特定色は、前記文字「メール」との組合せにより、前記処理条件としての前記電子メールの宛先を示す。前記宛先は、前記特定色で特定される前記電子メールアドレスである。具体的には、前記特定色がオレンジ、青色であれば、前記受信者はＡ，Ｂとなる。
【００６２】
図３Ｃにおいて、付加原稿２１ｃは、前記処理シート及び前記処理条件シートの一例としての処理シート２１１ｃ及び処理条件シート２１２ｃを含む。
【００６３】
処理シート２１１ｃの前記読取面には、処理・処理条件シート２１１ｂと同様、前記文字「メール」が記録される。
【００６４】
また、処理条件シート２１２ｃの前記読取面には、１又は複数の電子メールアドレスが記録される。
【００６５】
なお、処理条件シート２１２ｃの前記読取面は、前記処理条件としての前記電子メールアドレスが前記文字等で記される場合、前記非特定色を有する。
【００６６】
前記電子メールアドレスが前記文字等で表現されることは、前記様式の一つである。前記文字等で表現される前記電子メールアドレスは、前記文字「メール」と組合せることで、前記処理条件としての前記電子メールの宛先を示す。
【００６７】
なお、もし処理条件シート２１２ｃの前記読取面が前記特定色を有すると、前記文字等で表現される前記電子メールアドレスが前記宛先とされるのか、前記特定色で表現される前記電子メールアドレスを前記宛先とされるのか特定不能となる。よって、処理条件シート２１２ｃの前記読取面は前記非特定色を有する。
【００６８】
前記処理及び前記処理条件は、図３Ａ〜図３Ｃに例示した以外にも、画像処理装置１が実行可能な前記処理及び前記処理条件を網羅するように、画像処理装置１の開発段階で様々な前記様式が定められる。
【００６９】
例えば、文字「ＦＡＸ」が記された前記処理シートと、ＦＡＸ番号が記された前記処理条件シートとの組合せは、前記ＦＡＸ番号宛に前記画像データを示すファクシミリを送信する、という前記様式を示す。
【００７０】
他にも例えば、文字「スキャン」が記された前記処理シートと、記憶部１３に作成されたフォルダーが記された前記処理条件シートの組合せは、前記フォルダー名で特定される記憶領域へ前記画像データを保存する、という前記様式を示す。
【００７１】
なお、後述の抽出処理のため、各前記シートには、前記読取面における前記文字等の位置を示す識別情報が付加される場合がある。
【００７２】
具体的には、処理シート２１１ａ，２１１ｃ及び処理条件シート２１２ａ，２１２ｃと、処理・条件シート２１１ｂとには、前記識別情報の一例としての識別情報２１３ａ，２１３ｂ，２１３ｃが付加されている。
【００７３】
識別情報２１３ａ〜２１３ｃのそれぞれは、例えば互いに異なる４個のマークを含む。
【００７４】
前記４個のマークは、前記読取面に記される前記文字等の周囲に記録される。前記４個のマークは前記文字と重ならず、かつ、所定の位置関係を有する。
【００７５】
具体例を挙げると、前記４個のマークは、黒塗りの正方形、三角形、菱形、丸であって、四角形をなすように配置される。本実施形態では、前記正方形、三角形、菱形、丸のマークは、例えば前記読取面の左上隅、右上隅、右下隅及び左下隅に記録される。
【００７６】
なお、識別情報２１３ａ〜２１３ｃは、前記文字等の位置を特定できれば、前記４個のマークに限らず、他の態様で表現されてもよい。
【００７７】
また、図３Ａ〜図３Ｃの視認性を考慮し、参照符号２１３ａ〜２１３ｃは、前記４個のマークの１つにのみ付されている。
【００７８】
前記ユーザーはさらに、画像処理装置１への処理要求のために、前記対象原稿と、所望の前記処理及び前記処理条件を示す前記付加原稿とを原稿台１１０１上に、前記読取面側を向けて載置する。
【００７９】
前記対象原稿は、前記原稿載置エリアにおいて前記付加画像の左側に載置される。
【００８０】
また、前記付加原稿が前記処理シート及び前記処理条件シートの組合せである場合、前記処理シート及び前記処理条件シートは前記主走査方向に並べられる。
【００８１】
また、前記対象画像及び前記付加画像は、前記原稿載置エリアの外周から、前記主走査方向及び前記副走査方向に所定距離だけ離される。さらに、前記対象画像及び前記付加画像に含まれる各前記シートは、他の前記シートから、前記主走査方向及び前記副走査方向に所定距離だけ離される。
【００８２】
前記ユーザーは、後述の抽出処理のために、図示しない原稿台カバーを閉じない。代替的に、黒一色の背景マットが、原稿台１１０１上の前記対象原稿及び前記付加原稿上に重ねられてもよい。これにより、画像読取部１１で生成される前記読取画像データにおいて、前記複数の原稿の画像の色と、前記複数の原稿以外の背景画像の色とを明確に異ならせることができる。
【００８３】
前記ユーザーはさらに、制御部１４による前記処理を開始させるために操作表示部１０を操作する。前記操作に応答して、制御部１４はプログラム１３１を実行し始める。
【００８４】
以下、図４を参照して、制御部１４の処理を説明する。
【００８５】
まず、制御部１４は、前記スキャン処理を制御する（ステップＳ１０１）。
【００８６】
具体的には、画像読取部１１は、制御部１４の制御下で、最大走査範囲内で前記光を前記主走査方向及び前記副走査方向に走査する。ここで、最大走査範囲は、例えば、前記原稿載置エリアの全域である。
【００８７】
画像読取部１１はさらに、原稿台１１０１上の前記対象原稿及び前記付加原稿の画像を一括的に読み取る。これにより、画像読取部１１は、図５に示すように、前記対象原稿及び前記付加原稿の画像を示す読取画像データ３を生成し制御部１４に出力する。
【００８８】
読取画像データ３は、対象画像データ３１と、複数の様式画像データ３２と、複数の識別画像データ３３と、背景画像データ３４と、を含む。
【００８９】
対象画像データ３１は、前記対象画像を示し、処理実行部１２による処理対象となる。
【００９０】
複数の様式画像データ３２はそれぞれ、前記様式に従う前記処理又は前記処理条件を示す画像である。
【００９１】
複数の識別画像データ３３はそれぞれ、前記識別情報を示す画像である。なお、後述の抽出処理のために、前記識別情報の特徴量は、前記各種情報の一つとして記憶部１３に予め格納される。
【００９２】
背景画像データ３４は、前記背景画像を示す。
【００９３】
具体的には、背景画像データ３４は、読取画像データ３において、対象画像データ３１、各様式画像データ３２及び各識別画像データ３３の周囲に存在する画素領域である。
【００９４】
また、背景画像データ３４は、前記主走査方向及び前記副走査方向に、前記所定距離に基づき定められた所定数以上の画素を含む。また、前記スキャン処理において前記原稿台カバーが閉じられないので、背景画像データ３４に含まれる各画素の値は黒を示す。
【００９５】
ステップＳ１０１の次に、制御部１４は、抽出部１４１として機能して、抽出処理を実行する（ステップＳ１０２）。
【００９６】
ステップＳ１０２において、抽出部１４１は、読取画像データ３から、前記処理対象の対象画像データ３１と、予め定められた前記様式を有する各様式画像データ３２とを抽出する。以下、前記抽出処理の具体例を説明する。
【００９７】
抽出部１４１はまず、読取画像データ３から背景画像データ３４が除去されている中間画像データを生成する。ここで、背景画像データ３４は、前記主走査方向及び前記副走査方向において黒の画素値が前記所定数以上連続という特徴を有する。背景画像データ３４の除去は前記特徴に基づき実行される。
【００９８】
抽出部１４１はさらに、前記識別情報の特徴量等を用いた画像認識処理により、前記中間画像データに含まれる全ての識別画像データ３３を抽出する。
【００９９】
抽出部１４１はさらに、抽出した各識別画像データ３３に対し所定の位置関係を有する画素領域のそれぞれを様式画像データ３２として特定し抽出する。
【０１００】
例えば、識別情報が識別情報２１３ａの場合、各識別画像データ３３は前記４個のマークを示す画像である。この場合、前記４個のマークを示す画像で囲まれる画素領域が様式画像データ３２として抽出されればよい。
【０１０１】
なお、前記４個のマークは互いに異なると共に所定の位置関係を有する。従って、前記中間画像データに複数の識別画像データ３３が存在していても、各識別画像データ３３を正しく特定可能となる。
【０１０２】
抽出部１４１は、前記中間画像データにおいて、各識別画像データ３３及び各様式画像データ３２の抽出後に残った部分を対象画像データ３１として扱う。
【０１０３】
抽出部１４１は、前記抽出処理が成功した場合、対象画像データ３１及び各様式画像データ３２を認識部１４２に渡す。
【０１０４】
抽出部１４１は、前記抽出処理が成功しなかった場合、前記抽出処理が失敗したことを示すメッセージ情報を通知制御部１４３に渡す。
【０１０５】
なお、抽出部１４１は、他の公知のマルチクロップ技術により、読取画像データ３から対象画像データ３１及び各様式画像データ３２を抽出してもよい。
【０１０６】
ステップＳ１０２の次に、制御部１４は、認識部１４２として機能して、前記処理及び前記処理条件の認識処理を実行する（ステップＳ１０３）。
【０１０７】
具体的には、ステップＳ１０３において、認識部１４２は、抽出部１４１から受け取った各様式画像データ３２に対してＯＣＲ処理を実行する。前記ＯＣＲ処理により、認識部１４２は、各様式画像データ３２から、対象画像データ３１に実行すべき処理を示す処理情報と、前記処理条件を示す条件情報を認識する。
【０１０８】
ＯＣＲ処理により、各様式画像データ３２に含まれる文字を所定の文字コードで示すテキストデータが、前記処理情報及び前記条件情報として取得される。
【０１０９】
前記処理情報は、対象画像データ３１に実行すべき前記処理を示す。
【０１１０】
また、前記条件情報は、前記処理条件を示す。
【０１１１】
なお、前記処理・処理条件シートが原稿台１１０１に載置される場合、１つの様式画像データ３２から前記処理情報及び前記条件情報の双方が認識される。
【０１１２】
さらに、認識部１４２は、各様式画像データ３２から前記推奨色を示す画素を除去する。認識部１４２は、前記推奨色の画素領域以外の画素領域の値を、各様式画像データ３２の背景色を示す背景色情報として取得する。認識部１４２は、前記背景色情報も前記条件情報として扱う。
【０１１３】
認識部１４２は、前記認識処理が成功した場合、前記処理情報及び前記条件情報の組合せを、処理制御部１４３に渡す。
【０１１４】
認識部１４２は、前記認識処理が成功しなかった場合、前記認識処理が失敗したことを示すメッセージ情報を通知制御部１４４に渡す。
【０１１５】
ステップＳ１０３の次に、制御部１４は、通知制御部１４４として機能する。
【０１１６】
通知制御部１４４は、抽出部１４１、認識部１４２及び処理制御部１４３のいずれかから前記メッセージ情報を受け取っているか否かを判断する（ステップＳ１０４）。
【０１１７】
通知制御部１４４は、前記メッセージ情報を受け取っていると判断した場合（ステップＳ１０４でＹＥＳ）、処理をステップＳ１０５に進める。
【０１１８】
ステップＳ１０５において、通知制御部１４４は、対象画像データ３１及び様式画像データ３２の抽出、又は、前記処理情報及び前記条件情報の認識が成功しなかったとして、対象画像データ３１に対する前記処理が実行できないことを画像又は音声で示す通知情報を生成し出力する。
【０１１９】
前記通知情報が画像の場合、前記通知情報は前記表示装置に出力される。前記表示装置は、入力された前記通知情報に基づく画像を表示する。
【０１２０】
前記通知情報が音声の場合、前記通知情報は、図示しないスピーカーに出力される、前記スピーカーは、入力された前記通知情報に基づき音声出力する。
【０１２１】
前記通知情報に基づく表示又は音声出力により、前記ユーザーは、対象画像データ３１に対する前記処理が実行できないこと認識することができる。
【０１２２】
通知制御部１４４は、ステップＳ１０５の終了後、図４の処理を終了する。
【０１２３】
一方、通知制御部１４４は、前記メッセージを受け取っていないと判断した場合（ステップＳ１０４でＮＯ）、処理をステップＳ１０６に進める。
【０１２４】
ところで、前記ユーザーによる処理要求は、例えば、前記処理及び前記処理条件の組合せにより行われる。前記処理及び前記処理条件の組合せが前記処理要求の時点で誤っている場合も考えられる。
【０１２５】
上記のような場合、前記処理情報が示す前記処理と、前記条件情報が示す前記処理条件の組合せは禁則関係にあり、画像処理装置１は、対象画像データ３１に対し前記処理を正しく実行できなくなる。
【０１２６】
前記禁則関係としては、前記処理情報が前記文字「コピー」を示し、前記条件情報が文字等の前記電子メールアドレスを示す場合が考えられる。
【０１２７】
記憶部１３には、前記禁則関係を記録した禁則関係リスト１３３が、前記各種情報の一つとして予め格納される。禁則関係リスト１３３には、図６に示すように、例えば、前記禁則関係にある前記処理情報及び前記条件情報の組合せが記録されている。
【０１２８】
ステップＳ１０６において、制御部１４は、処理制御部１４３として機能する。
【０１２９】
処理制御部１４３はまず、認識部１４２から受け取る前記処理情報及び前記条件情報の組合せが、禁則関係リスト１３３に記録されているか否かを判断する（ステップＳ１０６）。
【０１３０】
処理制御部１４３は、前記処理情報及び前記条件情報の組合せが禁則関係リスト１３３に記録されている場合（ステップＳ１０６でＹＥＳ）、前記処理情報及び前記条件情報の組合せが禁則関係にあることを示すメッセージ情報を通知制御部１４４に渡して、処理を前述のステップＳ１０５に進める。
【０１３１】
通知制御部１４４は、ステップＳ１０５において、前記処理情報に対応する処理実行部１２への指示ができないとして、前記通知情報を出力する。
【０１３２】
ステップＳ１０６でＹＥＳの場合には、処理制御部１４３は、前記処理情報及び前記条件情報の組合せが予め定められた禁則関係にあるとして、前記処理情報に対応する処理実行部１２に指示をしない。
【０１３３】
処理制御部１４３は、前記処理情報及び前記条件情報の組合せが禁則関係リスト１３３に記録されていない場合（ステップＳ１０６でＮＯ）、処理をステップＳ１０７に進める。
【０１３４】
ステップＳ１０７において、処理制御部１４３は、前記条件情報に基づく前記処理条件で対象画像データ３１を処理することを、前記処理情報に対応する処理実行部１２に指示する。
【０１３５】
より具体的には、記憶部１３には、図７に示すように、前記処理情報毎に、制御コマンドと、制御コマンドの出力先とを紐づけた制御コマンドリスト１３４が予め格納されている。
【０１３６】
処理制御部１４３は、認識部１４２から受け取る前記処理情報に対応する制御コマンドを制御コマンドリスト１３４から読み出す。
【０１３７】
処理制御部１４３は、読み出した制御コマンドに、前記条件情報が示す前記処理条件をパラメーターとして付加する。
【０１３８】
処理制御部１４３は、前記パラメーターを含む前記制御コマンドと、対象画像データ３１とを、前記処理情報に対応する前記処理実行部に出力する。
指示する。
【０１３９】
例えば、前記処理情報が文字「コピー」を示す場合、処理制御部１４３は、画像形成部１２１への制御コマンドＡを生成し、画像形成部１２１に出力する。
【０１４０】
制御コマンドＡは、画像形成部１２１が解釈可能な記述言語で生成され、１又は複数のパラメーターを含む。
【０１４１】
各前記パラメーターにより、対象画像データ３１が指定される共に、前記条件情報で示される印刷部数が指定される。前記条件情報が数字「３」を示す場合、印刷部数として３が指定される。
【０１４２】
画像形成部１２１は、前記制御コマンドＡで指定された対象画像データ３１に基づく画像を印刷用シート上に形成して印刷物として排出するという処理を、印刷コマンドＡに含まれるパラメーターで指定された印刷部数に相当する回数だけ繰り返す。
【０１４３】
また、例えば、処理制御部１４３は、前記処理情報が文字「メール」を示し、かつ前記処理条件情報としての前記背景色情報が前記特定色と一致する場合、記憶部１３のアドレスリスト１３２において前記特定色に対応する前記電子メールアドレスを読み出す。
【０１４４】
処理制御部１４３はさらに、前記所定の規格に従って、電子メール送信部１２３に出力すべき制御コマンドＢを生成する。
【０１４５】
制御コマンドＢにはパラメーターが含まれる。前記パラメーターにより、読み出された前記電子メールアドレスと、対象画像データ３１とが指定される。
【０１４６】
また、前記処理情報が文字「メール」で、前記条件情報としての背景色情報が前記非特定色に一致しかつ前記条件情報が電子メールアドレスである場合、電子メール送信部１２３への制御コマンドＢにおいて、前記パラメーターは、前記条件情報に示される前記電子メールアドレスを示す。
【０１４７】
電子メール送信部１２３は、上記のような制御コマンドＢに従って、前記電子メール及び対象画像データ３１を送信する。
【０１４８】
また、処理制御部１４３は、前記処理情報が文字「ＦＡＸ」で、前記条件情報が前記ＦＡＸ番号の場合、前記ファクシミリ規格に従って、ファクス送信部１２２への制御コマンドＣを生成する。
【０１４９】
制御コマンドＣにはパラメーターが含まれる。前記パラメーターにより、前記条件情報に示される前記ＦＡＸ番号と、対象画像データ３１とが指定される。
【０１５０】
ファクスメール送信部１１２は、制御コマンドＣに従って、処理制御部１４３から受け取った対象画像データ３１を、前記ＦＡＸ番号で特定される前記通信相手側のファクシミリに送信する。
【０１５１】
また、前記処理情報及び前記条件情報の組合せが文字「スキャン」及び前記フォルダー名である場合、処理制御部１４３は、画像処理装置１のファイルシステムに従って、制御コマンドＤを生成し、記憶部１３に出力する。
【０１５２】
制御コマンドＤはパラメーターを含む。前記パラメーターにより、対象画像データ３１と、前記条件情報で示されるフォルダー名で特定される記録領域とが指定する。
【０１５３】
記憶部１３は、入力された制御コマンドＤに従って、処理制御部１４３から送られてくる対象画像データ３１を前記記憶領域に保存する。
【０１５４】
なお、上述以外にも、アドレスリスト１３２において電子メールアドレスごとに一意な番号が付与されている場合には、下記のような処理の例も考えられる。
【０１５５】
「メール」と記される処理シートと、数字「２」と記される処理条件シートとを用いることで、本画像処理装置１は、アドレスリスト１３２において前記番号が「２」の前記電子メールアドレス宛に電子メールを送信する。
【０１５６】
上記制御コマンドＡ〜Ｄ以外にも、処理制御部１４３は、様々な制御コマンドを生成し出力可能であっても構わない。
【０１５７】
例えば、「メール」と記される前記処理シートと、「１」と記される前記処理条件シートと、「２」と記される前記処理条件シートとを用いることできる。この場合、本画像処理装置１は、前述のスキャン処理、抽出処理及び認識処理を経て、前記番号が「１」及び「２」の前記電子メールアドレス宛に前記電子メールを送信する。「メール」と記される前記処理シート、「１」と記される前記処理条件シート及び「２」と記される前記処理条件シートの組合せの場合、本画像処理装置１は、前記番号が「１２」の前記電子メールアドレス宛に前記電子メールを送信することも考えられる。
【０１５８】
また、認識部１４２は、公知のＯＣＲ処理により、前記処理シートに示される前記文字等の向きを認識可能である。この場合、前記処理シートに示される文字等の向きが前記処理条件として用いられうる。
【０１５９】
より具体例には、前記処理シートにおける「メール」の３文字が前記副走査方向に沿って並んでいると認識部１４２が認識する場合、電子メール送信部１２３は、処理制御部１４３の制御下で、アドレスリスト１３２における１番目の前記電子メールアドレス宛に前記電子メールを送信する。
【０１６０】
逆に、前記３文字が前記主走査方向に沿って並んでいると認識される場合、電子メール送信部１２３は、処理制御部１４３の制御下で、アドレスリスト１３２における２番目の前記電子メールアドレス宛に前記電子メールを送信する。
【０１６１】
本実施形態によれば、下記の効果を奏する。
【０１６２】
前記付加原稿には、前記対象画像に実行すべき前記処理及び前記処理条件が記録可能である。また、前記ユーザーは、前記対象原稿と共に、本画像処理装置１への指示に応じた前記付加画像を原稿台１１０１に載置する。前記ユーザーは、前記様式に基づく様々な前記付加原稿を用いることで、複数の処理実行部１２で実行可能な様々な前記処理及び前記処理条件を網羅的に指定することが可能となる。
【０１６３】
また、制御部１４はプログラム１３１を実行して、画像読取部１１は、原稿台１１０１上の前記対象原稿及び前記付加原稿を含む前記複数の原稿の画像を示す読取画像データ３を生成する（ステップＳ１０１）。
【０１６４】
抽出部１４１は、読取画像データ３から、対象画像データ３１と、様式画像データ３２とを抽出する（ステップＳ１０２）。
【０１６５】
認識部１４２は、様式画像データ３２から、前記処理情報と、前記条件情報とを認識する（ステップＳ１０３）。
【０１６６】
処理制御部１４３は、前記条件情報に基づく前記処理条件で対象画像データ３１を処理することを、前記処理情報に対応する前記処理実行部に指示する（ステップＳ１０７）。
【０１６７】
ステップＳ１０１〜Ｓ１０３，Ｓ１０７により、実行可能な様々な処理をユーザーが簡易に指定可能な画像処理装置１、及びプログラム１３１を提供することができる。
【０１６８】
［第２実施形態］
以下、本発明に係る第２実施形態について説明する。なお、以下に説明する第２実施形態において、前記第１実施形態と同様の構成には同一参照符号を付与し、それぞれの説明を控える。なお、この点は、第３実施形態でも同様である。
【０１６９】
前記第１実施形態では、１回の前記スキャン処理で、１つの処理実行部１２への前記制御コマンドが出力されていた。
【０１７０】
前記第２実施形態は、１回の前記スキャン処理で、複数の処理実行部１２に前記制御コマンド等を処理制御部１４３が出力可能にすることを目的とする。換言すると、１回の前記スキャン処理で、複数の前記処理を実質上同時並行で実行可能にすることが目的である。
【０１７１】
上記目的を達成するため、前記ユーザーはまず、図８に示すような付加原稿２１ｄ及び対象原稿２２ｄを準備する。
【０１７２】
付加原稿２１ｄは、処理シート２１１ｄ及び処理条件シート２１２ｄの組を複数含み、これにより、同時並行で実行すべき前記複数の処理と、前記複数の処理条件とを示す。
【０１７３】
各処理シート２１１ｄは、前記複数の処理を個々に示す。
【０１７４】
各処理条件シート２１２ｄは、同じ組の処理シート２１１ｄに示される前記処理に対応する前記処理条件を個々に示す。
【０１７５】
図８の例では、１つの処理シート２１１ｄに「メール」と記され、別の処理シート２１１ｄに「ＦＡＸ」と記される。
【０１７６】
また、１つの処理条件シート２１２ｄは、「メール」の処理シート２１１ｄと同じ組であって、電子メールアドレスを示す。
【０１７７】
また、別の処理条件シート２１２ｄは、「ＦＡＸ」の処理シート２１１ｄと同じ組であって、ＦＡＸ番号を示す。
【０１７８】
また、本第２実施形態でも、処理シート２１１ｄ及び処理条件シート２１２ｄにも、識別情報２１３ａ等と同様の識別情報２１３ｄが付加される。
【０１７９】
前記ユーザーは、原稿台１１０１に複数の付加原稿２１ｄを下記のように載置する。
【０１８０】
まず、前記ユーザーは、図８に示すように、各処理シート２１１ｄを、前記原稿載置エリアにおける所定の副走査ラインＬに沿って、隣の処理シート２１１ｄから所定距離だけ離して並置する。前記所定の副走査ラインＬは、例えばスキャン原点Ｏを含む副走査ラインとすることが考えられる。
【０１８１】
各処理条件シート２１２ｄは、同じ組の処理シート２１１ｄに対し前記主走査方向に前記所定距離だけ離される。また、各処理条件シート２１２ｄは、隣の処理条件シート２１２ｄと、前記副走査方向に前記所定距離だけ離される。
【０１８２】
前記ユーザーが制御部１４による前記処理を開始させるために操作表示部１０を操作すると、図９に示す画像処理装置１の処理が開始される。
【０１８３】
まず、前述のスキャン処理（ステップＳ１０１）により、図１０に示すような読取画像データ４が生成される。
【０１８４】
図１０には、説明の便宜のために、スキャン原点Ｏと、スキャン原点Ｏを基準とする直交座標系が示される。前記直交座標系において、ｘ軸は主走査方向を示し、ｙ軸は副走査方向を示す。
【０１８５】
読取画像データ４は、前記第１実施形態の読取画像データ３と比較すると、複数の様式画像データ３２に代えて複数の様式画像データ４１を含む点で異なる。
【０１８６】
複数の様式画像データ４１は、前記様式に従う前記複数の処理及び前記複数の処理条件の画像を示す。
【０１８７】
次に、抽出部１４１は、前記第１実施形態と同様にして、読取画像データ４から、対象画像データ３１を抽出すると共に、複数の様式画像データ４１を抽出する（ステップＳ１０２）。
【０１８８】
第２実施形態では、抽出部１４１はさらに、各様式画像データ４１の代表画素位置Ｐｔｙｐを導出する（ステップＳ２０１）。ここで、各画素位置は、前記座標系におけるｘ座標値Ｐｘ及びｙ座標値Ｐｙにより特定される。
【０１８９】
代表画素位置Ｐｔｙｐは、各様式画像データ４１の構成する各画素位置のうち、最小のｘ座標値Ｐｘｍｉｎ及び最小のｙ座標値Ｐｙｍｉｎを含む。以下、代表画素位置Ｐｔｙｐを（Ｐｘｍｉｎ，Ｐｙｍｉｎ）と記載する場合がある。
【０１９０】
なお、代表画素位置Ｐｔｙｐは、ｘ座標値Ｐｘｍｉｎ及びｙ座標値Ｐｙｍｉｎではなく、最大のｘ座標値Ｐｘｍａｘ及び最大のｙ座標値Ｐｙｍａｘと定義されてもよい。
【０１９１】
抽出部１４１は、前記抽出処理が成功した場合、複数の様式画像データ４１及び対応する代表画素位置Ｐｔｙｐの組みと、対象画像データ３１とを認識部１４２に渡す。
【０１９２】
認識部１４２は、前記第１実施形態と同様にして、複数の様式画像データ４１それぞれから、前記処理情報又は前記条件情報を認識する（ステップＳ１０３）。
【０１９３】
第２実施形態では、通知制御部１４４が前記メッセージを受け取っていないと判断した場合（ステップＳ１０４でＮＯ）、認識部１４２はさらに、ステップＳ２０２を実行する。
【０１９４】
認識部１４２は、抽出部１４１から受信している各前記処理情報に、各前記処理情報に対応する代表画素位置Ｐｔｙｐを付加して、前記処理情報及び前記代表画素位置Ｐｔｙｐの組合せを複数生成する（ステップＳ２０２）。
【０１９５】
認識部１４２は、ステップＳ２０２においてさらに、前記条件情報と代表画素位置Ｐｔｙｐとの組合せを複数生成する。
【０１９６】
認識部１４２は、対象画像データ３１と、複数組の前記処理情報及び代表画素位置Ｐｔｙｐと、複数組の前記条件情報及び代表画素位置Ｐｔｙｐ、を処理制御部１４３に渡す。
【０１９７】
次に、処理制御部１４３は、受け取った全代表画素位置Ｐｔｙｐの中から、下記の条件を満たす複数の代表画素位置Ｐｔｙｐを選択する。
【０１９８】
前記条件は、ｘ座標値Ｐｘｍｉｎ同士の差分値の絶対値が所定閾値以上で、かつｙ座標値Ｐｙｍｉｎ同士の差分値の絶対値が所定閾値以下となること、である。
【０１９９】
処理制御部１４３は、前記条件を満たす代表画素位置Ｐｔｙｐに対応する前記処理情報及び前記条件情報を、前記処理情報及び前記条件情報の組として選択する（ステップＳ２０３）。
【０２００】
処理制御部１４３は、前記処理情報及び前記条件情報の各組に対し、ステップＳ１０６以降の処理を実行する。その結果、処理制御部１４３は、複数の前記条件情報に基づく前記処理条件で対象画像データ３１を処理することを、複数の前記処理情報に対応する処理実行部１２に指示する。また、複数の処理実行部１２は、処理制御部１４３からの指示に応答して、入力される対象画像データ３１に対する処理を同時並行的に実行する。
【０２０１】
［第３実施形態］
以下、本発明に係る第３実施形態について説明する。
【０２０２】
前記第１実施形態では、対象原稿は１枚であるとして説明した。
【０２０３】
前記第２実施形態は、複数枚の対象原稿に対して処理を実行可能な画像処理装置１及びプログラム１３１を提供することを目的とする。
【０２０４】
上記目的を達成するため、画像読取部１１はさらに、ＡＤＦ（Automatic Document Feeder）及びＡＤＦガラスを備えている。
【０２０５】
ＡＤＦガラス上には、ＡＤＦにより原稿が搬送されてくる。画像読取部１１はさらに、前記スキャン処理の実行時、ＡＤＦガラスの下方からＡＤＦガラスに向けて光を主走査方向に走査する。
【０２０６】
また、原稿は、ＡＤＦにより、ＡＤＦガラス上を前記副走査方向に搬送される。
【０２０７】
前記主走査方向及び前記副走査方向への走査により、画像読取部１１は、原稿を光学的に走査して読み取り、原稿の内容を示す前記読取画像データを出力することが可能である。
【０２０８】
前記ユーザーはまず、図１１に示すように、付加原稿２１ｅと、複数枚の対象原稿２２ｅと共に準備する。
【０２０９】
付加原稿２１ｅは、処理シート２１１ｅと、複数の処理条件シート２１２ｅとを含む。
【０２１０】
処理シート２１１ｅは、前記処理を前記様式に従って示す。
【０２１１】
図１１の例では、処理シート２１１ｅに「コピー」と示される。
【０２１２】
複数の処理条件シート２１２ｅは、前記処理に対応する前記処理条件を個々に前記様式に従って示す。図１１の例では、複数の処理条件シート２１２ｅのそれぞれは、例えば、レイアウト指定シート２１２１ｅ及び部数指定シート２１２２ｅの組合せを含み、前記処理条件の組を示す。
【０２１３】
図１１の例では、レイアウト指定シート２１２１ｅ及び部数指定シート２１２２ｅの組合せが３つ示されている。
【０２１４】
レイアウト指定シート２１２１ｅは、前記印刷用シート１枚にまとめて印刷すべき対象原稿２２ｅの枚数を示し、より具体的には、前記処理条件の一例として「１ｉｎ１」、「２ｉｎ１」及び「４ｉｎ１」という文字等が記録される。
【０２１５】
前記文字「１ｉｎ１」は、前記文字「コピー」と組み合わせにより、１枚の印刷用シートに１枚の対象原稿２２ｅを印刷することを示す。
【０２１６】
前記文字「２ｉｎ１」及び前記文字「４ｉｎ１」は、前記文字「コピー」と組み合わせにより、印刷用シート１枚に２枚及び４枚の対象原稿２２ｅを印刷することを示す。
【０２１７】
部数指定シート２１２２ｅは、前記複数の対象原稿２２ｅを含む印刷物の部数を示す。より具体的には、部数指定シート２１２２ｅには、前記処理条件の一例として「１」、「５」、「２」という数字が記録される。
【０２１８】
例えば、数字「１」は、前記文字列「１ｉｎ１」と組み合わせにより、１ｉｎ１で前記印刷物を１部生成することを示す。
【０２１９】
また、数字「５」は、前記文字「２ｉｎ１」と組み合わせにより、２ｉｎ１で前記印刷物を５部作成することを示す。
【０２２０】
また、数字「２」は、前記文字「４ｉｎ１」と組み合わせにより、４ｉｎ１で前記印刷物を２部作成することを示す。
【０２２１】
また、本第３実施形態でも、前記第１実施形態の識別情報２１３ａと同様の識別情報２１３ｅｇが付加される。
【０２２２】
前記ユーザーは、複数の対象原稿２２ｅをＡＤＦにセットする。
【０２２３】
前記ユーザーはさらに、原稿台１１０１に複数の付加原稿２１ｅを下記のように載置する。
【０２２４】
まず、前記ユーザーは、処理シート２１１ｅを、複数の処理条件シート２１２ｅよりも前記副走査ラインＬ寄りに載置する。
【０２２５】
なお、処理シート２１１ｅは、複数の処理条件シート２１２ｅに対して前記主走査方向及び前記副走査方向に前記所定距離以上離される。
【０２２６】
または、各処理条件シート２１２ｅは、前記原稿載置エリアにおいて、下記条件を満たす位置に載置される。
【０２２７】
第１の条件は、同じ組のレイアウト指定シート２１２１ｅ及び部数指定シート２１２２ｅが前記主走査方向に沿って並ぶことである。
【０２２８】
第２の条件は、同じ組のレイアウト指定シート２１２１ｅ及び部数指定シート２１２２ｅが隣の組のレイアウト指定シート２１２１ｅ及び部数指定シート２１２２ｅから前記副走査方向において前記所定距離以上離されること、である。
【０２２９】
前記ユーザーが制御部１４による前記処理を開始させるために操作表示部１０を操作すると、図１２に示す画像処理装置１の処理が開始される。
【０２３０】
まず、制御部１４は、前記スキャン処理を制御する（ステップＳ３０１）。
【０２３１】
画像読取部１１は、制御部１４の制御下で、原稿台１１０１上の付加原稿２１ｅの画像を一括的に読み取り、図１３に示すような付加原稿読取画像データ５を生成し制御部１４に出力する。
【０２３２】
付加原稿読取画像データ５は、複数の様式画像データ５１と、複数の識別画像データ５２と、背景画像データ５３と、を含む。
【０２３３】
複数の様式画像データ５１はそれぞれ、前記様式に従う前記処理を示すと共に、前記様式に従う複数組の前記処理条件を示す画像である。
【０２３４】
複数の識別画像データ５２はそれぞれ、各様式画像データ５１を構成する画素領域の周囲に存在し、前記識別情報を示す画像である。
【０２３５】
背景画像データ５３は、付加原稿読取画像データ５において、複数の様式画像データ５１及び識別画像データ５２以外の画素領域であって、背景画像を示す。
【０２３６】
なお、以下、複数の識別画像データ５２及び背景画像データ５３に対する処理の説明を控える。前記第２実施形態における複数の識別画像データ３３及び背景画像データ３４と同様の処理が実施されるためである。
【０２３７】
画像読取部１１は、付加原稿２１ｅの読み取りが完了すると、ＡＤＦガラス上を順次的にＡＤＦにより搬送されてくる対象原稿２２ｅに、ＡＤＦガラスを介して光を走査して、複数の対象原稿２２ｅ順次読み取る。これにより、複数の対象原稿２２ｅの内容をそれぞれ示す複数の対象画像データ６（図１３を参照）が生成される。
【０２３８】
画像読取部１１は、付加原稿読取画像データ５ｅを制御部１４にまず送信し、その後、複数の対象画像データ６を送信する。
【０２３９】
次に、制御部１４において、抽出部１４１は、前記第２実施形態の抽出処理と同じ要領で、付加原稿読取画像データ５から複数の様式画像データ５１を抽出する（ステップＳ３０２）と共に、各様式画像データ５１の代表画素位置Ｐｔｙｐを導出する（ステップＳ３０３）。
【０２４０】
抽出部１４１は、前記抽出処理が成功した場合、複数の対象画像データ６と、様式画像データ５１及び代表画素位置Ｐｔｙｐの組みと、を認識部１４２に渡す。
【０２４１】
認識部１４２は、前述の認識処理と同じ要領で、受け取った様式画像データ５１のそれぞれから、前記処理情報と、前記条件情報とを認識する（ステップＳ１０３）。
【０２４２】
通知制御部１４４が前記メッセージを受け取っていないと判断した場合（ステップＳ１０４でＮＯ）、認識部１４２は、前記第２実施形態のステップＳ２０２と同じ要領で、前記処理情報又は前記条件情報と、前記代表画素位置Ｐｔｙｐの組合せを生成する（ステップＳ３０４）。
【０２４３】
認識部１４２は、複数の対象画像データ６と、前記処理情報及び代表画素位置Ｐｔｙｐと、複数組の前記条件情報及び代表画素位置Ｐｔｙｐ、を処理制御部１４３に渡す。
【０２４４】
処理制御部１４３は、受け取った全代表画素位置Ｐｔｙｐの中から、下記の条件を満たす代表画素位置Ｐｔｙｐを選択して、前記処理情報を示す様式画像データ５１を抽出する（ステップＳ３０５）。
【０２４５】
前記条件は、代表画素位置Ｐｔｙｐに含まれるｘ座標値Ｐｘｍｉｎが最小であること、である。
【０２４６】
上記条件を満たす代表画素位置Ｐｔｙｐを有する様式画像データ５１が、前記処理情報を示す様式画像データ５１として、処理制御部１４３により扱われる。
【０２４７】
処理制御部１４３は、ステップＳ３０５においてさらに、ステップＳ３０３で選択されなかった代表画素位置Ｐｔｙｐの中から、所定の条件を満たす複数の代表画素位置Ｐｔｙｐを選択する。ここで、前記所定の条件は、前記第２実施形態のステップＳ２０３で用いられた前記条件と同様でよい。
【０２４８】
前記条件を満たす代表画素位置Ｐｔｙｐを有する様式画像データ５１は、前記条件情報の組として、処理制御部１４３により扱われる。
【０２４９】
処理制御部１４３は、前記処理情報と、前記条件情報の各組とに対し、ステップＳ１０６以降の処理を実行する。その結果、処理制御部１４３は、複数の前記条件情報に基づく前記複数の処理条件で対象画像データ６を処理することを、前記処理情報に対応する処理実行部１２に指示する。
【０２５０】
具体的には、処理制御部１４３は、図１１に示す付加原稿２１ｅを処理した場合、下記の制御コマンドを生成し、画像形成部１２１に出力する。
【０２５１】
前記制御コマンドでは、各種パラメーターにより、対象画像データ６が指定されると共に、前記条件情報で示される複数組のレイアウト及び印刷部数が指定される。
【０２５２】
処理実行部１２は、処理制御部１４３からの指示に応答して、入力される対象画像データ６に対し、異なる処理条件で処理を実行する。
【０２５３】
上記の処理により、複数枚の対象原稿に対して処理を実行可能な画像処理装置１及びプログラム１３１を提供することができる。
【符号の説明】
【０２５４】
１  画像処理装置
１１  画像読取部
１２  複数の処理実行部
１３  記憶部
１４  制御部
１４１  抽出部
１４２  認識部
１４３  処理制御部
１４４  通知制御部
【図１】
2019083430.tif 000003
【図２】
2019083430.tif 000004
【図３Ａ】
2019083430.tif 000005
【図３Ｂ】
2019083430.tif 000006
【図３Ｃ】
2019083430.tif 000007
【図４】
2019083430.tif 000008
【図５】
2019083430.tif 000009
【図６】
2019083430.tif 000010
【図７】
2019083430.tif 000011
【図８】
2019083430.tif 000012
【図９】
2019083430.tif 000013
【図１０】
2019083430.tif 000014
【図１１】
2019083430.tif 000015
【図１２】
2019083430.tif 000016
【図１３】
2019083430.tif 000017